(57)【特許請求の範囲】
【請求項１】
窓枠に開閉可能に支持され開く方向に付勢された窓と、
前記窓に連結され引き込むことで窓を閉めるワイヤケーブルと、
前記ワイヤケーブルの繰り出しをロックするラチェット機構と、
前記ラチェット機構が収容された操作ボックスと、
前記窓の下方の壁部に埋設され内部に前記操作ボックスが収容された本体箱部と、
前記本体箱部の前面の開口部を開閉する蓋部と、
前記本体箱部に収容されたハンドルと、
操作ボックスの表面に設けられ、押すことでラチェット機構によるワイヤケーブルのロック状態を解除し窓を開ける窓開放用ボタンと、
操作ボックスの表面に設けられ前記ハンドルが係合されハンドルにより回転されてワイヤケーブルを引き込み窓を閉める回転部材と、
前記窓開放用ボタンに臨む前記蓋部箇所に設けられ、蓋部で開口部を閉じた状態で前記窓開放用ボタンの押し込みを可能とした第１窓と、
を備えた窓の開閉用操作ボックス装置において、
前記第１窓の縁には弾性を有し、第１窓の縁に取着されてその内部に第２窓を有する弾性部材が設けられ、
前記第２窓に透明板がその周囲を前記弾性部材により挟持されて支持され、
前記蓋部は、上下に縦長の前面部と、前面部の上下左右の縁からそれぞれ本体箱部側に延在する４つの側面部とを備え、
前記前面部と本体箱部とにわたり、蓋部を揺動可能に支持するヒンジが設けられ、
前記ヒンジは前記前面部の背面側かつ前面部の左右の縁から延在する一方の側面部寄り箇所で前面部の輪郭内に配置されている、
ことを特徴とする窓の開閉用操作ボックス装置。
【請求項２】
前記第１窓は矩形状を呈し、前記弾性部材は蓋部の第１窓の周辺に当接される矩形枠状の鍔部と、鍔部の４辺の内側から後方に延在する４つの内壁部とで構成され、前記第２窓は前記鍔部と前記４つの内壁部の内側に矩形状に形成され、鍔部が第２窓に臨む部分には内壁部よりも第２窓の内側に突出する係止壁部が形成され、各内壁部には、内壁部の先端から鍔部に向けて一定の幅でかつ次第に厚みが大きくなる爪部が一体に形成され、前記透明板は矩形状を呈し、その４辺が前記係止壁部と爪部の前端とで挟持されて支持されている請求項１記載の窓の開閉用操作ボックス装置。
【発明の詳細な説明】
【０００１】
【発明の属する技術分野】
本発明は窓の開閉用操作ボックス装置に関する。
【０００２】
【従来の技術】
従来、壁等の高所に設けられる開閉式の窓として、窓の下方の手の届く箇所に窓の開閉用操作ボックス装置が設けられ、この開閉用操作ボックス装置の操作により窓の開閉がなされるものが種々提案されている。
この種の開閉式窓は外倒し、内倒し、突き上げ等、種々の開閉形式のものがあるが、いずれの開閉式窓も、窓枠に開閉可能に窓が支持され、前記窓に連結され引き込むことで窓を閉めるワイヤケーブルが設けられ、前記窓を開く方向に付勢するステイダンパーやばね手段が設けられる。
また、前記開閉用操作ボックス装置も種々の形式のものがあるが、いずれの開閉用操作ボックス装置も、壁に固定された本体箱部と、本体箱部の前面の開口部を開閉する蓋部を備えている。
【０００３】
前記本体箱部には、例えば、実公昭５８ー５３９１０号等で公知のように、操作ボックスが収容され、操作ボックスには、前記ワイヤケーブル巻取用の巻胴や、巻胴から外れることで巻胴を回転可能とし巻胴に係合することでワイヤケーブルの繰り出しをロックするラチェット機構が収容されている。
また、操作ボックスの表面に、押すことでラチェット機構のロック状態を解除し窓を開く窓開放用ボタンが設けられている。
また、前記本体箱部にハンドルが収容されたものも多くあり、ハンドルが収容されたものでは、操作ボックスの表面に、前記ハンドルが係合されハンドルにより回転され、これにより巻胴を回転させてワイヤを引き込み、窓を閉める回転部材が設けられている。
更に、蓋部で本体箱部を閉じた状態で前記窓開放用ボタンの押し込みを可能とした第１窓が設けられ、第１窓には、破砕可能な透明板が貼着されている。
【０００４】
そして、定期的な点検時に、蓋部が開けられ、窓開放用ボタンが押し込まれることで窓が開く。
また、ハンドルを回転部材に係合させ、ハンドルを回転させることで窓が閉じられる。
更に、火災等の緊急時には、蓋部を閉じたまま透明板を破砕して窓開放用ボタンを押し込むことで窓が開けられる。
【０００５】
【発明が解決しようとする課題】
しかしながら、このような従来の窓の開閉用操作ボックス装置では、緊急時に透明板を破砕することから、新たな透明板を予め用意する必要があること、また、透明板を第１窓に貼着する作業が面倒であるという不具合があった。
本発明は前記不具合を解消すべき案出されたものであって、本発明の目的は、透明板を破砕することなく窓開放用ボタンを押し込むことができ、また透明板の取り付けも簡単になされる窓の開閉用操作ボックス装置を提供することにある。
【０００６】
【課題を解決するための手段】
前記目的を達成するため、本発明は、窓枠に開閉可能に支持され開く方向に付勢された窓と、前記窓に連結され引き込むことで窓を閉めるワイヤケーブルと、前記ワイヤケーブルの繰り出しをロックするラチェット機構と、前記ラチェット機構が収容された操作ボックスと、前記窓の下方の壁部に埋設され内部に前記操作ボックスが収容された本体箱部と、前記本体箱部の前面の開口部を開閉する蓋部と、前記本体箱部に収容されたハンドルと、操作ボックスの表面に設けられ、押すことでラチェット機構によるワイヤケーブルのロック状態を解除し窓を開ける窓開放用ボタンと、操作ボックスの表面に設けられ前記ハンドルが係合されハンドルにより回転されてワイヤケーブルを引き込み窓を閉める回転部材と、前記窓開放用ボタンに臨む前記蓋部箇所に設けられ、蓋部で開口部を閉じた状態で前記窓開放用ボタンの押し込みを可能とした第１窓とを備えた窓の開閉用操作ボックス装置において、前記第１窓の縁には弾性を有し、第１窓の縁に取着されてその内部に第２窓を有する弾性部材が設けられ、前記第２窓に透明板がその周囲を前記弾性部材により挟持されて支持され、前記蓋部は、上下に縦長の前面部と、前面部の上下左右の縁からそれぞれ本体箱部側に延在する４つの側面部とを備え、前記前面部と本体箱部とにわたり、蓋部を揺動可能に支持するヒンジが設けられ、前記ヒンジは前記前面部の背面側かつ前面部の左右の縁から延在する一方の側面部寄り箇所で前面部の輪郭内に配置されていることを特徴とする。
【０００７】
また、本発明は、前記第１窓が矩形状を呈し、前記弾性部材は蓋部の第１窓の周辺に当接される矩形枠状の鍔部と、鍔部の４辺の内側から後方に延在する４つの内壁部とで構成され、前記第２窓は前記鍔部と前記４つの内壁部の内側に矩形状に形成され、鍔部が第２窓に臨む部分には内壁部よりも第２窓の内側に突出する係止壁部が形成され、各内壁部には、内壁部の先端から鍔部に向けて一定の幅でかつ次第に厚みが大きくなる爪部が一体に形成され、前記透明板は矩形状を呈し、その４辺が前記係止壁部と爪部の前端とで挟持されて支持されていることを特徴とする。
【０００８】
本発明では、蓋部を閉じたまま透明板を押すと、透明板が第２窓内で移動し、窓開放用操作ボタンが押し込まれる。
従って、透明板が破損することはなく、透明板を何回も繰り返して使用することが可能となり、また、外れた透明板の取り付けも、単に、内壁部の内側に透明板を押し込むことで簡単になされる。
【０００９】
【発明の実施の形態】
次に本発明を外倒し式の開閉式窓に適用した実施例について説明する。
図１は開閉式窓の斜視図を示す。
開閉式窓２は、窓４の下方の手の届く箇所に窓４の開閉用操作ボックス装置６が設けられ、開閉用操作ボックス装置６の操作により窓４の開閉がなされる。
窓４は窓枠８に、その下部を支点として上部が建物の外方に開くように支持され、前記窓４と窓枠８とにわたって窓４を開く方向に付勢するステイダンパー１０が設けられ、前記窓４の上部に連結され引き込むことで窓４を閉めるワイヤケーブル１２が設けられている。
【００１０】
図２は開閉用操作ボックス装置の正面図、図３は同側面図、図４は蓋部を取り除いた状態の本体箱部の正面図を示す。
開閉用操作ボックス装置６は、壁１４に埋め込まれた本体箱部１６と、本体箱部１６の前面の開口部１８を開閉する蓋部２０を備えている。
前記本体箱部１６に操作ボックス２２が収容され、操作ボックス２２には、ワイヤケーブル巻取用の巻胴（不図示）や、巻胴から外れることで巻胴を回転可能とし巻胴に係合することでワイヤケーブル１２の繰り出しをロックするラチェット機構（不図示）が収容されている。
前記本体箱部１６にハンドル２４が収容されている。
ハンドル２４は軸部２４０２と、軸部２４０２の一端に揺動可能に連結されたグリップ部２４０４と、軸部２４０２の他端に設けられた係合軸部２４０６とで構成されている。ハンドル２４は、例えば、グリップ部２４０４を操作ボックス２２の上に載せ、軸部２４０２を操作ボックス２２の側方に延在させ、係合軸部２４０６を操作ボックス２２の表面に位置させることで本体箱部１６に収容されている。
操作ボックス２２の表面に、押すことでラチェット機構のロック状態を解除し前記ステイダンパー１０の付勢力と窓４の重量により窓４を開く窓開放用ボタン２６と、前記ハンドル２４が係合されハンドル２４により回転され、これにより巻胴を回転させてワイヤケーブル１２を引き込み、窓４を閉める回転部材２８が設けられ、回転部材２８にはハンドル２４の係合軸部２４０６に係合する係合孔２８０２が形成されている。尚、窓開放用ボタン２６の上端面には「開」の文字が形成されている。
【００１１】
図５（Ａ）は蓋部の断面平面図、図５（Ｂ）は同正面図、図５（Ｃ）は同側面図を示す。
前記蓋部２０は、上下に縦長の前面部２００２と、前面部２００２の上下左右の縁からそれぞれ本体箱部１６側に延在する４つの側面部２００４とを備えている。
図３、図５に示すように、右側の側面部２００４寄りの前面部２００２と本体箱部１６側とにわたり、蓋部２０を揺動可能に支持するヒンジ３０が二つ設けられ、これらヒンジ３０は、前面部２００２の背面側で前面部２００２の輪郭内に配置されている。
詳細にはヒンジ３０は軸３００２により連結された二つの片体３００４を備え、一方の片体３００４が前面部２００２の背面に取着され、他方の片体３００４が本体箱部１６の台座３２上に取着されている。
また、ヒンジ３０とは反対の左側の側面部２００４には磁石３４が取着され、磁石３４が本体箱部１６に吸着することで、蓋部２０の閉じた状態が保持され、かつ、手により蓋部２０が容易に開くように構成されている。
【００１２】
前記蓋部２０により開口部１８を閉じた状態で窓開放用ボタン２６に臨む前面部２００２箇所に、蓋部２０を閉じた状態で前記窓開放用ボタン２６の押し込みを可能とした矩形の第１窓３６が形成されている。
前記第１窓３６の縁には弾性を有する部材からなる弾性部材３８が取着され、実施例では弾性部材３８はゴム製である。
【００１３】
図６（Ａ）は弾性部材及び透明板の正面図、図６（Ｂ）は同断面側面図、図６（Ｃ）は同背面図を示す。
弾性部材３８は、前面部２００２の第１窓３６の縁に当接される矩形枠状の鍔部３８０２と、鍔部３８０２の４辺の内側から後方に延在する４つの内壁部３８０４とで構成され、矩形枠状の鍔部３８０２と４つの内壁部３８０４の内側に第２窓４０が形成されている。
前記鍔部３８０２が第２窓４０に臨む部分には内壁部３８０４よりも第２窓４０の内側に突出する係止壁部３８０６が形成されている。
前記各内壁部３８０４の内面と外面には、内壁部３８０４の先端から鍔部３８０２に向けて一定の幅でかつ次第に厚みが大きくなる爪部３８０８が一体に形成されている。
弾性部材３８の第１窓３６への取り付けは、鍔部３８０２が第１窓３６周辺の前面部２００２に当接され、鍔部３８０２の背面と、内壁部３８０４の外側の爪部３８０８の前端とで第１窓３６の縁を挟持することでなされている。
【００１４】
前記第２窓４０には透明板４２が配設されている。
前記透明板４２は第２窓４０に対応して矩形で、その中央には「開」の文字が形成され、透明板４２は、その４辺が係止壁部３８０６と内壁部３８０４の内側の爪部３８０８の前端とで挟持されることで支持されている。
【００１５】
このような構成において、定期的な点検時に、蓋部２０が開けられ、窓開放用ボタン２６が押し込まれることで窓４が開く。
また、図７に想像線で示すように、本体箱部１６からハンドル２４を取り出して回転部材２８の係合孔２８０２に係合軸部２４０６を係合させ、ハンドル２４を回転させることで窓４が閉じられる。
更に、火災等の緊急時には、蓋部２０を閉じたまま透明板４２を押すと、透明板４２の外縁が爪部３８０８の前端から外れ、透明板４２が第２窓４０内で移動可能となり、従って、窓開放用ボタン２６を押し込み、窓４を開けることができる。
【００１６】
従って、本実施例によれば、透明板４２が破損することはなく、何回も繰り返して使用することが可能となる。
また、外れた透明板４２の取り付けも、単に、内壁部３８０４の内側に透明板４２を押し込むことで簡単になされる。
また、透明板４２の保持も、係止壁部３８０６と爪部３８０８とによる簡単な構成により確実になされる。
また、ヒンジ３０が蓋部２０の前面に現れておらず、従って、窓開閉用操作ボックス２２の外観性を高め、窓開閉用操作ボックス２２を用いる開閉式窓２の商品価値を一層高めることが可能となる。
尚、本発明は、外倒しの他に、内倒し、突き上げ等、種々の開閉形式の窓の全てに適用される。
【００１７】
【発明の効果】
以上の説明で明らかなように本発明は、窓の開閉用操作ボックス装置において、第１窓の縁に弾性を有し、第１窓の縁に取着されてその内部に第２窓を有する弾性部材が設けられ、第２窓に透明板がその周囲を前記弾性部材により挟持されて支持されている構成とした。
そのため、透明板を破損することはなく窓開放用ボタンを押し込んで窓を開けることができ、外れた透明板の取り付けも、内壁部の内側に透明板を押し込むことで簡単になされ、従来のように新たな透明板を用意する必要がなく、また、透明板の取り付けも簡単になされる。
また、透明板の保持も、係止壁部と爪部とによる簡単な構成により確実になされる。
また、ヒンジが蓋部の前面に現れておらず、従って、窓開閉用操作ボックスの外観性を高め、前記透明板の保持構造と併せて窓開閉用操作ボックスを用いる開閉式窓の商品価値を一層高めることが可能となる。
【図面の簡単な説明】
【図１】開閉式窓の斜視図である。
【図２】開閉用操作ボックス装置の正面図である。
【図３】開閉用操作ボックス装置の側面図である。
【図４】蓋部を取り除いた状態の本体箱部の正面図である。
【図５】（Ａ）は蓋部の断面平面図、（Ｂ）は同正面図、（Ｃ）は同側面図である。
【図６】（Ａ）は弾性部材及び透明板の正面図、（Ｂ）は同断面側面図、（Ｃ）は同背面図である。
【図７】ハンドル操作時の平面図である。
【符号の説明】
２  開閉式窓
４  窓
６  開閉用操作ボックス装置
８  窓枠
１２  ワイヤケーブル
１６  本体箱部
２０  蓋部
２４  ハンドル
２６  窓開放用ボタン
２８  回転部材
３０  ヒンジ
３６  第１窓
３８  弾性部材
４０  第２窓
４２  透明板
【図１】
0003770570.tif 000002
【図２】
0003770570.tif 000003
【図３】
0003770570.tif 000004
【図４】
0003770570.tif 000005
【図５】
0003770570.tif 000006
【図６】
0003770570.tif 000007
【図７】
0003770570.tif 000008